(57)【要約】【課題】衛生薄葉紙製品の収納箱に情報を記入可能にする。【解決手段】  収納箱の内部に衛生薄葉紙の束が内包されている衛生薄葉紙製品であって、前記収納箱の外面の一部又は全部にフィルムシートが積層されているとともに、その積層部分に情報記入部が配されていることをする衛生薄葉紙製品により解決される。【選択図】図１
2010155619.tif 000002
【特許請求の範囲】
【請求項１】
収納箱の内部に衛生薄葉紙の束が内包されている衛生薄葉紙製品であって、
前記収納箱の外面の一部又は全部にフィルムシートが積層されているとともに、
その積層部分に情報記入部が配されていることを特徴とする衛生薄葉紙製品。
【請求項２】
前記収納箱は、直六面体形状であり、上面に衛生薄葉紙を取り出すための取出口又は取出口形成部を有する請求項１記載の衛生薄葉紙製品。
【請求項３】
前記衛生薄葉紙の束は、取出口から一枚を取り出すとその直近下層に位置する次の一枚の一部が露出するように構成されている、請求項１記載の衛生薄葉紙製品。
【請求項４】
前記収納箱は、板紙にフィルムシートが積層されたラミネート紙により形成されている請求項１又は２記載の衛生薄葉紙製品。
【請求項５】
前記フィルムシートが、ポリプロピレンフィルムシートである請求項１〜４の何れか１項に記載の衛生薄葉紙製品。
【請求項６】
前記情報記入部に、水性インキによって、情報を記入することができ、かつ、当該記入した情報が、少なくとも内包されている衛生薄葉紙によって拭き取り消去可能である請求項１〜５の何れか１項に記載の衛生薄葉紙製品。
【請求項７】
前記収納箱の上面に、切り押し、切り抜き又は切り起こすことによって、筆記具を保持するための保持部が形成される易切断線が形成されている請求項１〜６の何れか１項に記載の衛生薄葉紙製品。
【発明の詳細な説明】
【技術分野】
【０００１】
本発明は、複数枚の折り畳まれた衛生薄葉紙の束を収納箱内に収納してなる衛生薄葉紙製品に関する。
【背景技術】
【０００２】
複数枚の衛生薄葉紙が折り畳まれ、その折畳み片が重なるようにして積層された束が、概ね直方体の箱（以下、「収納箱」と言う）の内部空間に収納され、使用時にその収納箱の上面に形成された取出口から順次取出していく衛生薄葉紙製品はよく知られるところである。例えば、ティシュペーパー製品、キッチンペーパー製品、ワイプ製品に代表される。
この種の製品は、家庭においては、各部屋に、またオフィスにおいては、各デスクに常備されるまで広く普及している。
また、この種の製品では、短期間で消費されない程度の枚数の衛生薄葉紙が内包されていて、すべてを使い切るには通常は数週間から数ヶ月程度の比較的長期間を要する。
従って、この種の製品における収納箱は、各部屋やオフィスとのインテリアとの調和を考慮して、外面に柄物の模様印刷が施されているのが一般的である。
他方、この種の製品は、内部の衛生薄葉紙を使い切った後には、その収納箱は用を終えて廃棄される。すなわち、従来、この種の製品は、収納箱は外装として機能するだけで、衛生薄葉紙が使用されている期間中、何ら自身が積極的に使用されることはなかった。
【特許文献１】実公昭４１−６４６４号公報
【特許文献２】特開平９−１５０８７１号公報
【特許文献３】特開２００５−２２５５６２号公報
【発明の開示】
【発明が解決しようとする課題】
【０００３】
そこで、本発明の主たる課題は、これまで衛生薄葉紙を収納するためだけに使用されてきた収納箱を、製品の性質に注目して積極的に利用すべく、収納箱外面に情報を記入したり、必要に応じて消したりすることができるようにした衛生薄葉紙製品を提供することにある。
【課題を解決するための手段】
【０００４】
上記課題を解決した本発明及びその作用効果は次記のとおりである。
＜請求項１記載の発明＞
収納箱の内部に衛生薄葉紙の束が内包されている衛生薄葉紙製品であって、
前記収納箱の外面の一部又は全部にフィルムシートが積層されているとともに、
その積層部分に情報記入部が配されていることを特徴とする衛生薄葉紙製品。
【０００５】
＜請求項２記載の発明＞
前記収納箱は、直六面体形状であり、上面に衛生薄葉紙を取り出すための取出口又は取出口形成部を有する請求項１記載の衛生薄葉紙製品。
【０００６】
＜請求項３記載の発明＞
前記衛生薄葉紙の束は、取出口から一枚を取り出すとその直近下層に位置する次の一枚の一部が露出するように構成されている、請求項１記載の衛生薄葉紙製品。
【０００７】
＜請求項４記載の発明＞
前記収納箱は、板紙にフィルムシートが積層されたラミネート紙により形成されている請求項１又は２記載の衛生薄葉紙製品。
【０００８】
＜請求項５記載の発明＞
前記フィルムシートが、ポリプロピレンフィルムシートである請求項１〜４の何れか１項に記載の衛生薄葉紙製品。
【０００９】
＜請求項６記載の発明＞
前記情報記入部に、水性インキによって、情報を記入することができ、かつ、当該記入した情報が、少なくとも内包されている衛生薄葉紙によって拭き取り消去可能である請求項１〜５の何れか１項に記載の衛生薄葉紙製品。
【００１０】
＜請求項７記載の発明＞
前記収納箱の上面に、切り押し、切り抜き又は切り起こすことによって、筆記具を保持するための保持部が形成される易切断線が形成されている請求項１〜６の何れか１項に記載の衛生薄葉紙製品。
【発明の効果】
【００１１】
以上の本発明によれば、収納箱外面に情報を記入したり、必要に応じて消したりすることができるようにした衛生薄葉紙製品が提供される。
【発明を実施するための最良の形態】
【００１２】
次いで、本発明の実施の形態を図面を参照しながら以下に詳述する。
『衛生薄葉紙製品』
本発明は、図１〜６に示されるように、複数枚の衛生薄葉紙Ｐが、折り畳まれ重層されてなる衛生薄葉紙の束Ｗが、上面に取出口又は取出口形成部が形成された収納箱Ｘ１に収納され、使用時にその取出口から衛生薄葉紙の一枚を取り出すと、隣接して積層されている下層の一枚の一部が取出口から露出されるように構成された衛生薄葉紙製品Ｆである。
【００１３】
〔収納箱〕
本発明にかかる衛生薄葉紙の束Ｗ１が収納される収納箱Ｘ１は、カートン箱とも呼ばれる製品外観を構成するものであり、特に図１〜図４に示されるように、上面２０Ｕに取出口形成部である環状のミシン目線２１を有する箱本体２０と、前記ミシン目線２１により囲まれる範囲を箱本体内側から覆う樹脂製フィルム２２とを有する。
【００１４】
箱本体２０は、収納箱Ｘ１の外郭をなすものであり、その大きさ、形状、展開形状等は既知の構成を採用できる。
その形状としては、図示例のように、一対の平行な長手縁２０Ｌ，２０Ｌとこれらよりも短い一対の平行な短手縁２０Ｓ，２０Ｓとで構成される長方形の上面２０Ｕを有する直六面体形状が例示でき、その構造としては、上面、底面及びこれらを連接する側面と、各面の長手方向両側縁に連接された底面側端面片、側面端面片、上面側端面片とを有し、前記側面端面片を箱内面側に折り返した後、これに重ねて上面側端面片と底面側端面片とを折り曲げ、各片の当接部分をホットメルト接着材等により接着して構成される構造が例示できる。
ただし、本発明における箱本体の形状は、上記直六面体に限定されるわけではなく、その他の適宜の立体形状及び展開形状が採用できる。
【００１５】
収納箱の大きさは、直六面体の場合であれば、衛生薄葉紙の束より若干大きく、概ね束の外形よりも１〜２０ｍｍ程度大きい内形とされる。一般的な収納箱Ｘ１の大きさを例示すると、概ね長手縁が１１０〜３２０ｍｍ、短手縁が７０〜２００ｍｍ、高さが４０〜１５０ｍｍ程度である。少なくとも本発明においてもこの大きさの収納箱Ｘ１（箱本体２０）が採用できる。もちろん、本発明の収納箱は、この大きさに限定はされず、箱体の形状に応じて適宜の大きさが採用できる。要は、衛生薄葉紙の束の形状を保持した状態で収納可能な大きさであればよい。
【００１６】
ここで、本発明の箱体２０は、特徴的に、特に図４に示すように、例えば、バージンパルプ、古紙パルプ等の各種のパルプを主原料とする既知の板紙素材１０に対して、フィルムシート１１が積層された素材により形成され、そのフィルムシート積層面が外面となるように構成されている。前記板紙１０は、好適には、坪量２５０〜５００ｇ／ｍ2、好適には３５０〜４００ｇ／ｍ2のコートボール紙である。
【００１７】
そして、本発明の製品では、前記箱本体２０の外面の一部又は全部に、種々の情報を記入するための情報記入部５０が設けられている。図示の形態では、長側面に形成されているが、これに限定はされない。この情報記入部５０は、前記板紙２０に対して、グラビア印刷などの既知の印刷技術によって予め印刷されて形成されたものであり、使用者の情報記入を促すための不変情報である。（なお、図４において、印刷による不変情報を印刷層５１として示す）
【００１８】
この不変情報は、子供のいる家庭向け製品とするのであれば、図１及び２に示されるように、黒板の図柄のような、子供の落書きを促すようなデザインが例示でき、オフィス用途向け製品とするのであれば、図５及び６に示すように連絡メモ書きを促す文字情報と枠欄などで構成されたデザインが例示できる。この情報記入部を構成する不変情報のデザインは、これらに限定されず、適宜のデザインを採用できる。要は、情報記入を促す文字情報或いはそれを直感的に感じられる図形・図柄などであればよい。
【００１９】
前記フィルムシート１１としては、ポリプロピレンフィルムシート、ポリエチレンフィルムシート、ポリビニルアルコールフィルムシート、ポリエチレンテレフタレートフィルムシート、アクリルフィルムシートなど既知のフィルムシートが採用できる。
【００２０】
好ましくは、平滑性が高く、板紙への密着性に優れ、さらに、透明性が高く板紙に印刷した不変情報の視認性に優れるとともに、耐久効果もあり、焼却廃棄時に有害ガスの発生し難く、しかも安価であるポリプロピレンフィルムシートである。そのなかでも、非延伸のいわゆるＣＰＰよりも、二軸延伸のいわゆるＯＰＰが特に板紙との密着性に優れるため適する。
【００２１】
また、前記フィルムシート１１は、好ましくは、ＪＩＳ  Ｐ  ８１４２に規定されている光沢度が５０〜９０％、好ましくは７０〜８５％であるのが望ましい。この光沢度を満たすフィルムシートは、表面が平滑であり、後述する水性インキを利用した情報の記入及び消去に優れたものとなる。
【００２２】
なお、フィルムシート１１と板紙１０との積層は、熱圧着、熱融着、接着剤による貼付技術など既知のフィルムコーティング技術が利用できる。もちろん、製造にあたっては、板紙に対して予めフィルムシートをコーティングし、これを適宜箱体の展開形状に裁断したのち、組立てる方法を採用することができる。
【００２３】
以上の構成の収納箱Ｘ１（箱本体２０）とすることで、本発明の製品は、（１）箱本体２０を水分が透過し難くなり、湿度の高い環境等において長期保管しても内包される衛生薄葉紙の束Ｗや箱本体２０を構成する板紙１０の劣化が抑制される。それとともに（２）水性インキを採用するフェルトペンなどの筆記具によって、収納箱Ｘ１の外面に情報を記入することができるとともに、その情報の視認性に優れるようになり、また、そのインキが板紙１０に浸透することがなく、不織布、薄葉紙などによって、その記入した情報を拭き取り消去して、再度の記入ができるものとなる。特に、（３）本発明にかかる製品では、各種の拭き取り用途に適した衛生薄葉紙Ｐを内包するものであるから、かかる記入情報を拭き取るためのものをあえて用意しなくとも、すぐに前記取出口から衛生薄葉紙Ｐを取り出して、簡易に拭き取り章依拠できる利点がある。さらに（４）本発明の製品は、上述の連絡メモとして使用するような場合においては、使用時には取出口から内部に収納された衛生薄葉紙の一部が露出しているとともに、比較的長期わたって同一箇所に載置されて使用されるという製品の性質から、誤って廃棄されるおそれがなく、連絡事項を伝える用途として極めて適している。また、（５）本製品は、繰り返しの情報記入によって外面に筆記具のインキが残り、外面が汚れてくることがあっても、基本的には使い捨ての製品であるから、適宜の期間経過後には一新することができ、過度に当該汚れた状態のまま部屋やオフィスに載置された状態となることもない。
【００２４】
本発明の製品Ｆは、一見すると単に外面に情報を記入できるようなものにも思えるが、内部に収納された製品が衛生薄葉紙であることや、その使用期間との関係で、極めて優れた利点を有するのである。
【００２５】
なお、本発明においては、情報を記入するための筆記具６０は限定されるものではないが、例示すれば、上記のとおり水性インキを使用したフェルトペンがその対象となる。かかるフェルトペンは、少なくとも、オフィスなどにおけるホワイトボード用途に利用さえるペンであれば、問題なく利用可能である。
【００２６】
他方、本発明の製品Ｆでは、筆記具による情報記入が可能であることから、図示されるように、利便性を高めるべく、好ましく、筆記具を保持するための筆記具の保持部７０を形成するためのミシン目線７１を上面に形成するのが望ましい。このミシン目線７１は、例えば、図１及び２の形態のように、観音開き状に切り起こすことで、その切り起こし片間に筆記具を保持できるように構成したＨ型のミシン目線７１や、図５及び６に示すような、切り抜き又は切り押すことで、ペンの一部が挿入可能な大きさのペン立て孔が箱本体から突出するように構成したミシン目線や、ペンの一部が挿入可能な小環状のミシン目線が例示できる。
【００２７】
これらのミシン目線７１の具体的な大きさは、限定されず、一般的なペンの径に応じて適宜設計できる。また、その位置も衛生薄葉紙の取出しを妨げない範囲で適宜の位置に形成することができる。もちろん、図示の如く上面に限定されるわけではない。
【００２８】
他方、箱本体２０の上面２０Ｕに形成される取出口形成用のミシン目線２１は環状をなす既知のものであり、既知の方法及びカットタイ比で形成される。これにより囲まれる範囲２１ａの具体的形状については必ずしも限定されない。ただし、収納箱においては、図示例の如く、紙箱上面２０Ｕの長手方向に沿う方向を長辺とする略楕円形状又は矩形が代表的であり、取出し性、利便性が高いことから、本発明においても多くの既存の製造ラインで製造可能なこの形状が好適である。
【００２９】
他方、取出口形成用のミシン目線を封止する前記樹脂製フィルム２２は、前記ミシン目線２１により囲まれる範囲２１ａのサイズより大きく、例えば、矩形や楕円形であり、紙箱１上面の内面側において、特に環状ミシン目線２１の切り剥がしに影響がないように、環状ミシン目線２１の外側で接着されている。
この樹脂性フィルム２２の好適な素材は、ポリエチレンフィルムであるが、ポリプロピレン、ポリエステルなども例示できる。
樹脂製フィルム２２の厚みは、１０〜２００μｍが適する。１０μｍ未満では、強度的に不足し、衛生薄葉紙の取り出し時において裂けあるいは破断の確率が高くなる。逆に、２００μｍを超えると、強度の問題はないものの、取り出し難くなり、またコスト高となる。
【００３０】
他方、この樹脂製フィルム２２には、スリット２３が形成されており、このスリット２３はミシン目線により囲まれる範囲２１ａに位置されている。
従って、図２及び図６に示されるとおり、前記環状ミシン目線２１に沿ってそのミシン目線により囲まれる範囲２１ａを切り剥がすことにより、紙箱上面２０Ｕに取り出口２５が形成されるとともに、前記樹脂製フィルム２２及びそれに形成されたスリット２３が取出口２５を介して露出される。なお、前記スリット２３の長さは、適宜の長さとすることができ、既知の環状ミシン目線との大きさの関係で適するとされる長さが採用できる。
【００３１】
収納箱Ｘ１に束Ｗとして収納されている衛生薄葉紙は、前記スリット２３を介して取出口２５から一枚ずつ取り出される。そして、当該スリット２３によって、取出口から露出される衛生薄葉紙の一部が支持されて収納箱内部に落ち込むことが防止されるようになっている。
【００３２】
〔衛生薄葉紙の構造〕
本発明に係る衛生薄葉紙Ｐは、方形をなし、原紙一枚若しくは、同形の原紙が複数枚積層されたプライ構造を有する。なお、積層された衛生薄葉紙における、原紙の積層数（プライ数）は、特に限定されるものではなく、例えば２プライ、３プライ、４プライ、又はそれ以上の複数プライとすることができる。一般的には、プライ構造は、２プライ〜４プライとされ、本発明においてプライ構造の衛生薄葉紙とする場合には、この程度のプライ数が特に適する。
【００３３】
〔衛生薄葉紙の束の基本構成〕
本発明の衛生薄葉紙の束Ｗ１は、上述の衛生薄葉紙が折り畳まれ、積層されてなるものである。より具体的には、図３に示されるように、方形の薄葉紙が実質的に二つ折りされ、その折り返し片の縁ｅが上下に隣接する薄葉紙の折り返し内面に位置するようにして、互い違いに重なり合いつつ積層されている。なお、ここで実質的にとは、製造上の形成される縁部の若干の折り返しを許容する意味である。
【００３４】
本積層構造の衛生薄葉紙の束Ｗ１は、最上位に位置する一枚の折り返し片Ｐｘを上方に引き上げると、その直下で隣接する他の一枚の折り返し片Ｐｙが上方に引きずられて持ち上げられる。従って、かかる構造の衛生薄葉紙の束Ｗ１は、その最上面が後述する上面に取出口等を有する収納箱の当該上面に向かいあって収納されていると、前記取出口２５から最初の一枚Ｐ１（最上面に位置する一枚）が引き出されたときに、その直近下方に位置する他の一枚Ｐ２の一部が露出されるようになる。
なお、本発明のおける衛生薄葉紙の積層枚数が限定されないが、この種の製品の一般的な積層枚数を例示すれば、１２０〜２４０枚である。
【００３５】
〔原紙〕
ここで、本発明に係る衛生薄葉紙を構成する原紙について説明すると、この原紙は原料パルプを主原料とする薄葉紙用抄紙原料により製造できる。その原料パルプは、特に限定されない。衛生薄葉紙の具体的な用途に応じて適宜の原料パルプを選択し、また適宜配合して使用することができる。
【００３６】
原料パルプを例示すれば、木材パルプ、非木材パルプ、合成パルプ、古紙パルプなどから、より具体的には、砕木パルプ（ＧＰ）、ストーングランドパルプ（ＳＧＰ）、リファイナーグランドパルプ（ＲＧＰ）、加圧式砕木パルプ（ＰＧＷ）、サーモメカニカルパルプ（ＴＭＰ）、ケミサーモメカニカルパルプ（ＣＴＭＰ）、ブリーチケミサーモメカニカルパルプ（ＢＣＴＭＰ）等の機械パルプ（ＭＰ）、化学的機械パルプ（ＣＧＰ）、半化学的パルプ（ＳＣＰ）、広葉樹晒クラフトパルプ（ＬＢＫＰ）、針葉樹晒クラフトパルプ（ＮＢＫＰ）等のクラフトパルプ（ＫＰ）、ソーダパルプ（ＡＰ）、サルファイトパルプ（ＳＰ）、溶解パルプ（ＤＰ）等の化学的パルプ（ＣＰ）、ナイロン、レーヨン、ポリエステル、ポリビニルアルコール（ＰＶＡ）等を原料とする合成パルプ、脱墨パルプ（ＤＩＰ）、ウエストパルプ（ＷＰ）等の古紙パルプ、かすパルプ（ＴＰ）、木綿、アマ、麻、黄麻、マニラ麻、ラミー等を原料とするぼろパルプ、わらパルプ、エスパルトパルプ、バガスパルプ、竹パルプ、ケナフパルプ等の茎稈パルプ、靭皮パルプ等の補助パルプなどから、一種又は数種を適宜選択して使用することができる。
【００３７】
特には、原料パルプは、ＮＢＫＰとＬＢＫＰとを配合したものが好ましい。適宜古紙パルプが配合されていてもよいが、風合いなどの点で、ＮＢＫＰとＬＢＫＰのみから構成されているのがよく、その場合配合割合としては、ＮＢＫＰ：ＬＢＫＰ＝１０：９０〜５０：５０がよく、特に、ＮＢＫＰ：ＬＢＫＰ＝４０：６０が望ましい。
【００３８】
抄紙原料は、例えば、公知の抄紙工程、具体的には、ワイヤパート、プレスパート、ドライヤパート、サイズプレス、カレンダパート等を経るなどして薄葉紙とする。抄紙に際しては、例えば、分散剤、苛性ソーダ、アンモニア水等のｐＨ調整剤、消泡剤、防腐剤、蛍光染料、離型剤、耐水化剤、流動変性剤、歩留まり向上剤などの適宜の薬品を添加することができる。
【００３９】
他方、原紙は、例えば、模様を付与した場合にその模様を明瞭に見せる効果、あるいは全体として高級感等のあるように見せる効果を得るために、地色が白色に限らず薄いピンクやブルーであってもよい。着色されないパルプ自体の色が現出したものでもよい。
薄葉紙自体の地色の調整は、技術に従って着色した抄紙原料を用いて抄紙するなど既知の技術により達成できる。
【実施例】
【００４０】
本発明の衛生薄葉紙製品の効果を確認すべく、板紙に各種のフィルムシートを積層した紙素材を用いて試料となる箱体を作成し、市販の水性インキフェルトペンを用いて、それらに実際に書き込みを行う操作を行ない、書き込み性、衛生薄葉紙にて消去可能であるか否か、板紙とフィルムシートとの密着しについて確認した。結果は、表１のとおりであった。なお、表中、◎は極めて優れている、○は優れている、△は実用性があるとの評価である。
【００４１】
【表１】
2010155619.tif 000003
【００４２】
表１の結果より、本発明の製品では、水性インキフェルトペンによる書き込み、及び衛生薄葉紙による消去が可能であることが知見された。また、そのなかでも、フィルムと板紙との密着性は、ＯＰＰ、ＣＰＰのポリプロピレンフィルムシートが優れ、書き込み及び消去については、ＯＰＰのポリプロピレンフィルムシートが優れていることが確認できた。なお、アクリルフィルムシートについては、比較的高価であり、また、ポリエチレンフィルムシートについては、伸縮性があり、さらに、ポリエチレンフィルムシートについては融点が高く板紙との密着加工が簡易ではないという点で、ＯＰＰよりも劣る点がある。
以上の試験結果より、本発明の製品では、水性インキフェルトペンによる書き込み、衛生薄葉紙による拭き取り消去が可能であることが示され、箱体に極めて優れた利便性が付加されることが知見された。
【図面の簡単な説明】
【００４３】
【図１】本発明にかかる衛生薄葉紙製品の斜視図である。
【図２】その使用状態を示す斜視図である。
【図３】図１のＡ−Ａ断面矢視図である。
【図４】箱本体の一部断面拡大図である。
【図５】本発明に係る他の衛生薄葉紙製品の斜視図である。
【図６】その使用状態を示す斜視図である。
【符号の説明】
【００４４】
Ｆ…衛生薄葉紙製品、Ｘ１…収納箱、Ｗ１…衛生薄葉紙の束、１０…板紙、１１…フィルムシート、２０…箱本体、２０Ｕ…箱本体の上面、２１…ミシン目線（取出口形成部）、２２…樹脂製フィルム、２０Ｌ…カートンの長手縁、２０Ｓ…カートンの短手縁、２３…スリット、２５…取出口、５０…情報記入部、５１…印刷層、６０…筆記具、７０…筆記具保持部、７１…筆記具保持部形成用ミシン目線、ｅ…衛生薄葉紙の折り返し縁、Ｐｘ…最上位に位置する一枚の折り返し片、Ｐｙ…最上位に位置する一枚の直近下層に位置する折り返し片、Ｐ…衛生薄葉紙、Ｐ１…衛生薄葉紙の束における最上面に位置する衛生薄葉紙、Ｐ２…衛生薄葉紙の束における最上面に位置する衛生薄葉紙の直近下層に位置する衛生薄葉紙。
【図１】
2010155619.tif 000004
【図２】
2010155619.tif 000005
【図３】
2010155619.tif 000006
【図４】
2010155619.tif 000007
【図５】
2010155619.tif 000008
【図６】
2010155619.tif 000009